(57)【要約】      （修正有）【課題】作業時間やコストを低減することの可能な根枷プレート、根枷付き杭体および根枷付き防護柵を提供する。【解決手段】根枷付き杭体は、杭体と、杭体の周面に固定された根枷とを備えている。根枷は、２つの根枷プレート２１と、２つの根枷プレート２１を杭体に固定するボルトおよびナットを有している。根枷プレート２１は、杭体の周面に密着可能な形状の板材からなり、かつ、ボルトを挿通させるための１または複数の開口部２１Ｄを有する胴体部２１Ａと、胴体部２１Ａの両脇にそれぞれ１つずつ設けられ、胴体部２１Ａに杭体の周面を密着させたときの杭体の延在方向と平行な平板状の板材からなる２つの羽部２１Ｂとを備えている。【選択図】図６
0003207383.tif 000002
【実用新案登録請求の範囲】
【請求項１】
杭体の周面に密着可能な形状の板材からなり、かつ、ボルトを挿通させるための１または複数の開口部を有する胴体部と、
前記胴体部の両脇にそれぞれ１つずつ設けられ、前記胴体部に前記杭体の周面を密着させたときの前記杭体の延在方向と平行な平板状の板材からなる２つの羽部と
を備えた
根枷プレート。
【請求項２】
各前記羽部において、前記胴体部に前記杭体の周面を密着させたときの前記杭体の下端寄りの端部がテーパー形状となっている
請求項１に記載の根枷プレート。
【請求項３】
前記胴体部は、当該胴体部を扇の弧としたときの前記扇の中心角が略１８０度または略１２０度となるような形状となっている
請求項１または請求項２に記載の根枷プレート。
【請求項４】
前記複数の開口部は、前記胴体部において高さの互いに異なる位置に設けられている
請求項１ないし請求項３のいずれか一項に記載の根枷プレート。
【請求項５】
杭体と、
前記杭体の周面に固定された根枷と
を備え、
前記根枷は、
１または複数の根枷プレートと、
前記１または複数の根枷プレートを前記杭体の周面に固定する１組または複数組のボルトおよびナットと
を有し、
前記根枷プレートは、
前記杭体の周面に密着可能な形状の板材からなり、かつ、前記ボルトを挿通させるための１または複数の開口部を有する胴体部と、
前記胴体部の両脇にそれぞれ１つずつ設けられ、前記杭体の延在方向と平行な平板状の板材からなる２つの羽部と
を有する
根枷付き杭体。
【請求項６】
前記根枷は、前記複数の根枷プレートを有し、
前記複数の根枷プレートは、２つの前記羽部同士が互いに密着するように前記杭体の周面に固定されている
請求項５に記載の根枷付き杭体。
【請求項７】
複数の根枷付き杭体と、
２つの前記根枷付き杭体同士を連結する複数の棒体と
を備え、
各前記根枷付き杭体は、
杭体と、
前記杭体の周面に固定された根枷と
を有し、
前記根枷は、
１または複数の根枷プレートと、
前記１または複数の根枷プレートを前記杭体の周面に固定する１組または複数組のボルトおよびナットと
を有し、
前記根枷プレートは、
前記杭体の周面に密着可能な形状の板材からなり、かつ、前記ボルトを挿通させるための１または複数の開口部を有する胴体部と、
前記胴体部の両脇にそれぞれ１つずつ設けられ、前記杭体の延在方向と平行な平板状の板材からなる２つの羽部と
を有する
根枷付き防護柵。
【考案の詳細な説明】
【技術分野】
【０００１】  本考案は、根枷プレート、根枷付き杭体および根枷付き防護柵に関する。
【背景技術】
【０００２】  公園や、歩道、その他各所で、法面などの傾斜地への人の立ち入りを制限するために、防護柵が設けられる。防護柵に用いられる杭体では、防護柵が容易に傾かないよう、下端が地中深くに埋め込まれる。防護柵が傾いたり倒壊するのをより強固に防止するために、コンクリートなどで形成された根枷ブロックが杭体の下端近くに設けられることがある。
【先行技術文献】
【特許文献】
【０００３】
【特許文献１】実公昭６３−０１２１９５号公報
【考案の概要】
【考案が解決しようとする課題】
【０００４】  根枷ブロックが設けられた杭体の設置については、例えば、根枷ブロックを地中に埋設して、杭体を立設する必要がある。根枷ブロックを地中に埋設するには、地面を掘削したり、根枷ブロックを、重機などを用いて、地中に設置したりする作業が必要となる（例えば特許文献１）。そのため、防護柵の設置には、多大な作業時間と、多大なコストがかかってしまう。従って、作業時間やコストを低減することの可能な根枷プレート、根枷付き杭体および根枷付き防護柵を提供することが望ましい。
【課題を解決するための手段】
【０００５】  本考案の一実施の形態の根枷プレートは、杭体の周面に密着可能な形状の板材からなり、かつ、ボルトを挿通させるための１または複数の開口部を有する胴体部と、胴体部の両脇にそれぞれ１つずつ設けられ、胴体部に杭体の周面を密着させたときの杭体の延在方向と平行な平板状の板材からなる２つの羽部とを備えている。【０００６】  本考案の一実施の形態の根枷付き杭体は、杭体と、杭体の周面に密着した根枷とを備えている。根枷は、１または複数の根枷プレートと、１または複数の根枷プレートを杭体の周面に固定する１組または複数組のボルトおよびナットとを有する。根枷プレートは、上記の根枷プレートと同一の構成となっている。【０００７】  本考案の一実施の形態の根枷付き防護柵は、複数の根枷付き杭体と、２つの根枷付き杭体同士を連結する複数の棒体とを備えている。各根枷付き杭体は、上記の根枷付き杭体と同一の構成となっている。【０００８】  本考案の一実施の形態の根枷プレート、根枷付き杭体および根枷付き防護柵では、杭体の周面に密着可能な形状の板材からなる胴体部が杭体の周面に密着され、杭体の延在方向と平行な平板状の板材からなる２つの羽部が胴体部の両脇にそれぞれ１つずつ設けられている。これにより、杭体を、孔を設けていない地面に直接、打ち込む際に、根枷プレートの抵抗が非常に小さい。一方、各羽部は杭体の延在方向と平行な平板状の板材からなるので、杭体を傾かせようとする力に対して、根枷プレートは大きな抵抗力を発揮する。
【考案の効果】
【０００９】  本考案の一実施の形態の根枷プレート、根枷付き杭体および根枷付き防護柵によれば、杭体を、孔を設けていない地面に直接、打ち込む際に、根枷プレートの抵抗が非常に小さくなるようにしたので、杭体を、孔を設けていない地面に直接、打ち込むことができる。これにより、例えば、地面に孔を設けて、その孔の中に根枷プレートを埋設したり、根枷プレートを、重機などを用いて、地中に設置したりする必要がない。従って、作業時間やコストを低減することができる。
【図面の簡単な説明】
【００１０】
【図１】本考案の第１の実施形態の根枷付き杭体の正面構成例を表す図である。
【図２】図１の根枷の上面構成例（下面構成例）を表す図である。
【図３】図１の根枷の正面構成例を表す図である。
【図４】図１の根枷の背面構成例を表す図である。
【図５】図１の根枷の側面構成例（右側面構成例・左側面構成例）を表す図である。
【図６】図２の根枷プレートの斜視構成例を表す図である。
【図７】図２の根枷の上面構成の一変形例を表す図である。
【図８】図７の根枷の側面構成例（３１−１と正対する方向からの側面構成例）を表す図である。
【図９】図７の根枷の側面構成例（３１−２と正対する方向からの側面構成例）を表す図である。
【図１０】図７の根枷の側面構成例（３１−３と正対する方向からの側面構成例）を表す図である。
【図１１】図７の根枷の斜視構成例を表す図である。
【図１２】図２の根枷の上面構成（下面構成例）の一変形例を表す図である。
【図１３】本考案の第２の実施形態の根枷付き防護柵の正面構成例を表す図である。
【図１４】図１３の根枷付き防護柵の側面構成例を表す図である。
【考案を実施するための形態】
【００１１】  以下、本考案を実施するための形態について、図面を参照して詳細に説明する。以下の説明は本考案の一具体例であって、本考案は以下の態様に限定されるものではない。また、本考案は、各図に示す各構成要素の配置や寸法、寸法比などについても、それらに限定されるものではない。
【００１２】＜第１の実施の形態＞
［構成］
本考案の第１の実施の形態に係る根枷付き杭体１の構成について説明する。図１は、根枷付き杭体１の正面構成例を表したものである。根枷付き杭体１は、杭体１０と、杭体１０の周面に固定された根枷２０とを備えている。
【００１３】  杭体１０は、例えば、木材、樹脂、または、金属などによって形成されている。杭体１０は、例えば、円柱形状、または、角柱形状となっている。杭体１０の下端は、杭体１０を地表面１００に打ち込む際の抵抗を低くすることの可能な形状となっており、例えば、円錐形状、または、角錐形状となっている。杭体１０は、後述の開口部２１Ｄと対向する位置に貫通孔を有している。この貫通孔は、後述のボルト２２を挿通するためのものである。
【００１４】  根枷２０は、杭体１０が地表面１００に対して斜めに傾いたり、杭体１０が倒壊したりするのを低減するためのものである。根枷２０は、杭体１０の下端部分が地中１１０に打ち込まれているとき、根枷２０も地中１１０に打ち込まれるような位置に配置されている。杭体１０の下端部分が地中１１０に打ち込まれている場合に、杭体１０のうち、地表面１００上に露出している部分の長さが１１００ｍｍとなっており、杭体１０のうち、地表面１００下にある部分の長さが７００ｍｍとなっているときには、根枷２０は、例えば、根枷２０の上端が地表面１００から１００ｍｍ程度、地中１１０にもぐった位置となるように配置されている。根枷２０が上述したような位置に配置されていることにより、杭体１０が地表面１００に対して斜めに傾いたり、杭体１０が倒壊したりするのを低減することができる。
【００１５】  図２は、根枷２０の上面構成例（下面構成例）を表したものである。図３は、根枷２０の正面構成例を表したものである。図４は、根枷２０の背面構成例を表したものである。図５は、根枷２０の側面構成例（右側面構成例・左側面構成例）を表したものである。図６は、根枷プレート２１（後述）の斜視構成例を表したものである。根枷２０は、２つの根枷プレート２１と、２つの根枷プレート２１を杭体１０の周面に固定する１組または複数組のボルト２２およびナット２３とを有している。各根枷プレート２１は、例えば、１枚の金属製の板材（例えば鉄板）に対して曲げ加工をすることにより形成されたものである。各根枷プレート２１の厚さは、例えば、数ｍｍ程度となっている。このように各根枷プレート２１が金属製の板材で構成されている場合には、各根枷プレート２１を簡易に製造することができ、しかも、製造コストを低く抑えることができる。また、曲げ加工の仕方を調整するだけで、あらゆる太さや形状の杭体１０に対応することができる。
【００１６】  各根枷プレート２１は、ボルト２２を挿通させるための１または複数の開口部２１Ｄを有している。ボルト２２は、開口部２１Ｄおよび杭体１０の貫通孔に挿通された状態で、ナット２３によって固定される。ボルト２２およびナット２３の組数は、各根枷プレート２１に設けられた開口部２１Ｄの数と等しい。従って、例えば、図６に示したように、各根枷プレート２１に設けられた開口部２１Ｄの数が２つの場合には、ボルト２２およびナット２３の組数も２つである。なお、各根枷プレート２１に設けられた開口部２１Ｄの数が１つの場合には、ボルト２２およびナット２３の組数も１つである。また、各根枷プレート２１に設けられた開口部２１Ｄの数が３つの場合には、ボルト２２およびナット２３の組数も３つである。つまり、各根枷プレート２１に設けられる開口部２１Ｄの数や、ボルト２２およびナット２３の組数は、２つに限定されるものではなく、例えば、１つであってもよいし、３つ以上であってもよい。このように、各根枷プレート２１がボルト２２およびナット２３によって杭体１０に固定されていることにより、根枷付き杭体１を地表面１００に打ち込んだ際に、各根枷プレート２１の位置がずれたり、各根枷プレート２１が杭体１０から脱落したりするのを防止することができる。
【００１７】  各根枷プレート２１は、胴体部２１Ａと、胴体部２１Ａの両脇にそれぞれ１つずつ設けられた２つの羽部２１Ｂとを有している。胴体部２１Ａは、杭体１０の周面に密着可能な形状の板材からなる。杭体１０が円柱形状となっている場合には、胴体部２１Ａは、杭体１０の周面に密着可能な湾曲形状の板材からなる。杭体１０が角柱形状となっている場合には、胴体部２１Ａは、杭体１０の周面に密着可能な矩形状の板材からなる。胴体部２１Ａは、例えば、その湾曲形状によって、半円柱状の窪み部２１Ｃを有している。胴体部２１Ａは、または、例えば、その矩形状によって、矩形状の窪み部２１Ｃを有している。
【００１８】  杭体１０が円柱形状となっている場合には、胴体部２１Ａ（窪み部２１Ｃ）は、胴体部２１Ａ（窪み部２１Ｃ）を扇の弧としたときの扇の中心角が略１８０度となるような形状となっている。扇の中心角が略１８０度となっている場合には、杭体１０を間にして２枚の根枷プレート２１同士を重ね合わせたときに、一方の根枷プレート２１の羽部２１Ｂと、他方の根枷プレート２１の羽部２１Ｂとを互いに密着させることができる。
【００１９】  杭体１０が角柱形状となっている場合には、胴体部２１Ａ（窪み部２１Ｃ）は、杭体１０の断面における一辺の長さの半分の長さに相当する深さの窪みを有している。胴体部２１Ａ（窪み部２１Ｃ）が、杭体１０の断面における一辺の長さの半分の長さに相当する深さの窪みを有している場合には、杭体１０を間にして２枚の根枷プレート２１同士を重ね合わせたときに、一方の根枷プレート２１の羽部２１Ｂと、他方の根枷プレート２１の羽部２１Ｂとを互いに密着させることができる。
【００２０】  上述したように２つの羽部２１Ｂを互いに密着させることにより、２つの羽部２１Ｂによる抵抗を低く抑えつつ、２つの羽部２１Ｂの強度を高くすることができる。２つの羽部２１Ｂが互いに密着している場合に、２つの羽部２１Ｂ同士を溶接などにより接合してもよい。このようにした場合には、２つの羽部２１Ｂの強度をより高くすることができる。
【００２１】  胴体部２１Ａは、ボルト２２を挿通させるための１または複数の開口部２１Ｄを有している。胴体部２１Ａが複数の開口部２１Ｄを有している場合には、複数の開口部２１Ｄは、胴体部２１Ａにおいて高さの互いに異なる位置に設けられていることが好ましい。このようにした場合には、各根枷プレート２１を杭体１０に強固に固定することができる。複数の開口部２１Ｄは、杭体１０の延在方向と平行な方向に一列に並んで配置されていることが好ましい。このようにした場合には、各根枷プレート２１を杭体１０に強固に固定することができるだけでなく、根枷付き杭体１を地表面１００に打ち込む際のボルト２２およびナット２３の抵抗を最小限に抑えることができる。
【００２２】  各羽部２１Ｂは、杭体１０の延在方向と平行な平板状の板材からなる。各羽部２１Ｂが杭体１０の延在方向と平行な平板状の板材からなっていることにより、根枷付き杭体１を地表面１００に打ち込む際の各羽部２１Ｂの抵抗を低く抑えることができる。各羽部２１Ｂにおいて、胴体部２１Ａに杭体１０の周面を密着させたときの杭体１０の下端寄りの端部がテーパー形状となっていることが好ましい。また、各羽部２１Ｂにおいて、胴体部２１Ａに杭体１０の周面を密着させたときの杭体１０の下端寄りの端部が逆テーパー形状となっていてもよい。各羽部２１Ｂの下端がテーパー形状または逆テーパー形状となっている場合には、各羽部２１Ｂの下端が杭体１０の周面と直交する方向に延在する形状となっている場合と比べて、根枷付き杭体１を地表面１００に打ち込む際の各羽部２１Ｂの抵抗を低く抑えることができる。なお、各羽部２１Ｂの下端がテーパー形状となっている場合には、各羽部２１Ｂの下端に突起が存在しないことになるので、各羽部２１Ｂの下端が逆テーパー形状となっている場合と比べて、安全性が高い。
【００２３】［効果］
次に、根枷付き杭体１の効果について説明する。
【００２４】  従来では、根枷ブロックが設けられた杭体の設置については、例えば、根枷ブロックを地中に埋設して、杭体を立設する必要がある。根枷ブロックを地中に埋設するには、地面を掘削したり、根枷ブロックを、重機などを用いて、地中に設置したりする作業が必要となる。そのため、防護柵の設置には、多大な作業時間と、多大なコストがかかってしまう。
【００２５】  一方、根枷付き杭体１では、湾曲形状または矩形状の板材からなる胴体部２１Ａが杭体１０の周面に密着され、杭体１０の延在方向と平行な平板状の板材からなる２つの羽部２１Ｂが胴体部２１Ａの両脇にそれぞれ１つずつ設けられている。これにより、杭体１０を、孔を設けていない地面に直接、打ち込む際に、根枷プレート２１の抵抗が非常に小さい。その一方で、２つの羽部２１Ｂは杭体１０の延在方向と平行な平板状の板材からなるので、杭体１０を傾かせようとする力に対して、根枷プレート２１は大きな抵抗力を発揮する。その結果、杭体１０を、孔を設けていない地面に直接、打ち込むことができるので、例えば、地面に孔を設けて、その孔の中に根枷プレート２１を埋設したり、根枷プレート２１を、重機などを用いて、地中に設置したりする必要がない。従って、作業時間やコストを低減することができる。
【００２６】  また、根枷付き杭体１において、胴体部２１Ａに杭体１０の周面を密着させたときの杭体１０の下端寄りの端部がテーパー形状または逆テーパー形状となっている場合には、各羽部２１Ｂの下端が杭体１０の周面と直交する方向に延在する形状となっている場合と比べて、根枷付き杭体１を地表面１００に打ち込む際の各羽部２１Ｂの抵抗を低く抑えることができる。
【００２７】  また、根枷付き杭体１において、胴体部２１Ａ（窪み部２１Ｃ）が、胴体部２１Ａ（窪み部２１Ｃ）を扇の弧としたときの扇の中心角が略１８０度となるような形状となっている場合には、杭体１０を間にして２枚の根枷プレート２１同士を重ね合わせたときに、一方の根枷プレート２１の羽部２１Ｂと、他方の根枷プレート２１の羽部２１Ｂとを互いに密着させることができる。２つの羽部２１Ｂを互いに密着させることにより、２つの羽部２１Ｂによる抵抗を低く抑えつつ、２つの羽部２１Ｂの強度を高くすることができる。
【００２８】  また、根枷付き杭体１において、複数の開口部２１Ｄが、胴体部２１Ａにおいて高さの互いに異なる位置に設けられている場合には、１つの開口部２１Ｄしか設けられていない場合と比べて、ボルト２２およびナット２３を用いることにより、各根枷プレート２１を杭体１０に強固に固定することができる。その結果、根枷付き杭体１を地表面１００に打ち込んだ際に、各根枷プレート２１の位置がずれたり、各根枷プレート２１が杭体１０から脱落したりするのを防止することができる。
【００２９】  また、根枷付き杭体１において、複数の根枷プレート２１が、２つの羽部２１Ｂ同士が互いに密着するように杭体１０の周面に固定されている場合には、２つの羽部２１Ｂによる抵抗を低く抑えつつ、２つの羽部２１Ｂの強度を高くすることができる。
【００３０】＜変形例＞
上記実施の形態において、根枷２０の代わりに根枷３０が杭体１０に固定されていてもよい。図７は、根枷３０の上面構成の一例を表したものである。図８は、根枷３０の側面構成例（後述の根枷プレート３１−１と正対する方向からの側面構成例）を表したものである。図９は、根枷３０の側面構成例（後述の根枷プレート３１−２と正対する方向からの側面構成例）を表したものである。図１０は、根枷３０の側面構成例（後述の根枷プレート３１−３と正対する方向からの側面構成例）を表したものである。図１１は、根枷３０の斜視構成例を表したものである。
【００３１】  根枷３０は、根枷２０と同様、杭体１０が地表面１００に対して斜めに傾いたり、杭体１０が倒壊したりするのを低減するためのものである。根枷３０は、根枷２０と同様の位置に配置されている。根枷３０は、３つの根枷プレート３１と、３つの根枷プレート２１を杭体１０の周面に固定する複数組のボルト２２およびナット２３とを有している。各根枷プレート３１は、例えば、１枚の金属製の板材（例えば鉄板）に対して曲げ加工をすることにより形成されたものである。各根枷プレート３１の厚さは、例えば、数ｍｍ程度となっている。このように各根枷プレート３１が金属製の板材で構成されている場合には、各根枷プレート３１を簡易に製造することができ、しかも、製造コストを低く抑えることができる。また、曲げ加工の仕方を調整するだけで、あらゆる太さや形状の杭体１０に対応することができる。
【００３２】  各根枷プレート３１は、ボルト２２を挿通させるための複数の開口部３１Ｄを有している。ボルト２２は、開口部３１Ｄおよび杭体１０の貫通孔に挿通された状態で、ナット２３によって固定される。ボルト２２およびナット２３の組数は、各根枷プレート３１に設けられた開口部３１Ｄの数の合計の１／２と等しい。従って、例えば、図８〜図１０に示したように、各根枷プレート３１に設けられた開口部３１Ｄの数が２つの場合には、ボルト２２およびナット２３の組数は３つである。このように、各根枷プレート３１がボルト２２およびナット２３によって杭体１０に固定されていることにより、根枷付き杭体１を地表面１００に打ち込んだ際に、各根枷プレート３１の位置がずれたり、各根枷プレート３１が杭体１０から脱落したりするのを防止することができる。
【００３３】  各根枷プレート３１は、胴体部３１Ａと、胴体部３１Ａの両脇にそれぞれ１つずつ設けられた２つの羽部３１Ｂとを有している。胴体部３１Ａは、杭体１０の周面に密着可能な湾曲形状の板材からなる。杭体１０が円柱形状となっている場合には、胴体部３１Ａは、杭体１０の周面に密着可能な湾曲形状の板材からなる。胴体部２１Ａは、例えば、その湾曲形状によって、断面形状が円弧の一部となっている窪み部２１Ｃを有している。
【００３４】  杭体１０が円柱形状となっている場合には、胴体部３１Ａ（窪み部３１Ｃ）は、胴体部３１Ａ（窪み部３１Ｃ）を扇の弧としたときの扇の中心角が略１２０度となるような形状となっている。扇の中心角が略１２０度となっている場合には、３枚の根枷プレート３１を用いて、杭体１０を間にして２枚の根枷プレート３１同士を重ね合わせたときに、一方の根枷プレート３１の羽部３１Ｂと、他方の根枷プレート３１の羽部３１Ｂとを互いに密着させることができる。２つの羽部３１Ｂを互いに密着させることにより、２つの羽部３１Ｂによる抵抗を低く抑えつつ、２つの羽部３１Ｂの強度を高くすることができる。２つの羽部３１Ｂが互いに密着している場合に、２つの羽部３１Ｂ同士を溶接などにより接合してもよい。このようにした場合には、２つの羽部３１Ｂの強度をより高くすることができる。
【００３５】  胴体部３１Ａは、ボルト２２を挿通させるための複数の開口部３１Ｄを有している。複数の開口部３１Ｄは、胴体部３１Ａにおいて高さの互いに異なる位置に設けられるとともに、杭体１０の延在方向と平行な方向と交差する方向（つまり斜め方向）に一列に並んで配置されている。これにより、３枚の根枷プレート３１を用いて、杭体１０を間にして２枚の根枷プレート３１同士を重ね合わせた状態で、各根枷プレート３１を杭体１０に強固に固定することができる。
【００３６】  各羽部３１Ｂは、杭体１０の延在方向と平行な平板状の板材からなる。各羽部３１Ｂが杭体１０の延在方向と平行な平板状の板材からなっていることにより、根枷付き杭体１を地表面１００に打ち込む際の各羽部３１Ｂの抵抗を低く抑えることができる。各羽部３１Ｂにおいて、胴体部３１Ａに杭体１０の周面を密着させたときの杭体１０の下端寄りの端部がテーパー形状となっていることが好ましい。また、各羽部３１Ｂにおいて、胴体部３１Ａに杭体１０の周面を密着させたときの杭体１０の下端寄りの端部が逆テーパー形状となっていてもよい。各羽部３１Ｂの下端がテーパー形状または逆テーパー形状となっている場合には、各羽部３１Ｂの下端が杭体１０の周面と直交する方向に延在する形状となっている場合と比べて、根枷付き杭体１を地表面１００に打ち込む際の各羽部３１Ｂの抵抗を低く抑えることができる。なお、各羽部３１Ｂの下端がテーパー形状となっている場合には、各羽部３１Ｂの下端に突起が存在しないことになるので、各羽部３１Ｂの下端が逆テーパー形状となっている場合と比べて、安全性が高い。
【００３７】［効果］
次に、本変形例にかかる根枷付き杭体１の効果について説明する。
【００３８】  本変形例にかかる根枷付き杭体１では、湾曲形状の板材からなる胴体部３１Ａが杭体１０の周面に密着され、杭体１０の延在方向と平行な平板状の板材からなる２つの羽部３１Ｂが胴体部３１Ａの両脇にそれぞれ１つずつ設けられている。これにより、杭体１０を、孔を設けていない地面に直接、打ち込む際に、根枷プレート３１の抵抗が非常に小さい。その一方で、２つの羽部３１Ｂは杭体１０の延在方向と平行な平板状の板材からなるので、杭体１０を傾かせようとする力に対して、根枷プレート３１は大きな抵抗力を発揮する。その結果、杭体１０を、孔を設けていない地面に直接、打ち込むことができるので、例えば、地面に孔を設けて、その孔の中に根枷プレート３１を埋設したり、根枷プレート３１を、重機などを用いて、地中に設置したりする必要がない。従って、作業時間やコストを低減することができる。
【００３９】  また、本変形例にかかる根枷付き杭体１において、胴体部３１Ａに杭体１０の周面を密着させたときの杭体１０の下端寄りの端部がテーパー形状または逆テーパー形状となっている場合には、各羽部３１Ｂの下端が杭体１０の周面と直交する方向に延在する形状となっている場合と比べて、根枷付き杭体１を地表面１００に打ち込む際の各羽部３１Ｂの抵抗を低く抑えることができる。
【００４０】  また、本変形例にかかる根枷付き杭体１において、胴体部３１Ａ（窪み部３１Ｃ）が、胴体部３１Ａ（窪み部３１Ｃ）を扇の弧としたときの扇の中心角が略１２０度となるような形状となっている場合には、３枚の根枷プレート３１を用いて、杭体１０を間にして２枚の根枷プレート３１同士を重ね合わせたときに、一方の根枷プレート３１の羽部３１Ｂと、他方の根枷プレート３１の羽部３１Ｂとを互いに密着させることができる。２つの羽部３１Ｂを互いに密着させることにより、２つの羽部３１Ｂによる抵抗を低く抑えつつ、２つの羽部３１Ｂの強度を高くすることができる。
【００４１】  また、本変形例にかかる根枷付き杭体１において、複数の開口部２２が、胴体部３１Ａにおいて高さの互いに異なる位置に設けられるとともに、杭体１０の延在方向と平行な方向と交差する方向に一列に並んで配置されている場合には、３枚の根枷プレート３１を用いて、杭体１０を間にして２枚の根枷プレート３１同士を重ね合わせた状態で、各根枷プレート３１を杭体１０に強固に固定することができる。
【００４２】  また、本変形例にかかる根枷付き杭体１において、複数の根枷プレート３１が、２つの羽部３１Ｂ同士が互いに密着するように杭体１０の周面に固定されている場合には、２つの羽部３１Ｂによる抵抗を低く抑えつつ、２つの羽部２１Ｂの強度を高くすることができる。
【００４３】  なお、上記第１の実施の形態において、根枷２０が１枚の根枷プレート２１と、１枚の根枷プレート２１を杭体１０の周面に固定する１組または複数組のボルト２２およびナット２３とによって構成されていてもよい。また、上記第１の実施の形態の変形例において、根枷３０が１枚の根枷プレート３１と、１枚の根枷プレート３１を杭体１０の周面に固定する１組または複数組のボルト２２およびナット２３とによって構成されていてもよい。
【００４４】  例えば、図１２に示したように、上記第１の実施の形態において、根枷２０の代わりに根枷４０が杭体１０に固定されていてもよい。根枷４０は、１枚の根枷プレート２１と、１枚の根枷プレート２１を杭体１０の周面に固定する１組または複数組のボルト２２およびナット２３とによって構成されている。
【００４５】  このようにした場合であっても、上記第１の実施の形態およびその変形例と同様、杭体１０を、孔を設けていない地面に直接、打ち込むことができるので、例えば、地面に孔を設けて、その孔の中に根枷プレート２１（または根枷プレート３１）を埋設したり、根枷プレート２１（または根枷プレート３１）を、重機などを用いて、地中に設置したりする必要がない。従って、作業時間やコストを低減することができる。
【００４６】＜第２の実施の形態＞
［構成］
本考案の第２の実施の形態に係る根枷付き防護柵２の構成について説明する。図１３は、根枷付き防護柵２の正面構成例を表したものである。図１４は、根枷付き防護柵２の側面構成例を表したものである。根枷付き防護柵２は、公園や、歩道、その他各所で、法面などの傾斜面２００への人の立ち入りを制限するために設けられたものである。根枷付き防護柵２は、複数の根枷付き杭体１と、２つの根枷付き杭体１同士を連結する複数の棒体５０とを備えている。棒体５０は、例えば、ボルトおよびナットによって根枷付き杭体１に固定されている。棒体５０は、接地面１００に対して略平行となるように配置されている。
【００４７】  根枷付き防護柵２では、複数の根枷付き杭体１が用いられている。これにより、上記第１の実施の形態およびその変形例と同様、杭体１０を、孔を設けていない地面に直接、打ち込むことができるので、例えば、地面に孔を設けて、その孔の中に根枷プレート２１（または根枷プレート３１）を埋設したり、根枷プレート２１（または根枷プレート３１）を、重機などを用いて、地中に設置したりする必要がない。従って、作業時間やコストを低減することができる。
【符号の説明】
【００４８】  １…根枷付き杭体、２…根枷付き防護柵、１０…杭体、２０…根枷、２１…根枷プレート、２１Ａ…胴体部、２１Ｂ…羽部、２１Ｃ…窪み部、２１Ｔ…テーパー部、２２…ボルト、２３…ナット、３０…根枷、３１，３１−１，３１−２，３１−３…根枷プレート、３１Ａ…胴体部、３１Ｂ…羽部、３１Ｃ…窪み部、３１Ｔ…テーパー部、４０…根枷、５０…棒体、１００…地表面、１１０…地中、２００…傾斜面。
【図１】
0003207383.tif 000003
【図２】
0003207383.tif 000004
【図３】
0003207383.tif 000005
【図４】
0003207383.tif 000006
【図５】
0003207383.tif 000007
【図６】
0003207383.tif 000008
【図７】
0003207383.tif 000009
【図８】
0003207383.tif 000010
【図９】
0003207383.tif 000011
【図１０】
0003207383.tif 000012
【図１１】
0003207383.tif 000013
【図１２】
0003207383.tif 000014
【図１３】
0003207383.tif 000015
【図１４】
0003207383.tif 000016